(57)【要約】【課題】紙カップやクリヤカップで飲み物を楽しむとき、ホットなコーヒーはカップが高温で熱くて持ち難く、アイスな飲み物は露滴が付いて手指や衣服を汚すことが多く、防止の為に断熱カバーを使用しているがカバーをカップに巻き覆うために、カバーの筒状結束に食品用以外の一般接着剤で接着するダンボール工場製品が多いと推定される。食品工場設備が設置されていないダンボール工場でも製造可能な結束方法に、切開部を設け噛合わせで形成する技法を採用する。筒状に形成されたカバーの表面を宣伝媒体に活用して使用するものである。【解決の手段】平面のカバー表面に二次元バーコードのＱＲコードを表示し、ＱＲコードに商品画像や各種情報を収録し情報通信端末機で読み取りやコンピュータと送受信して宣伝広告を行うもので、情報通信端末機は携帯電話、ＰＣ、デジタルカメラなどの機能を備えたものであることである。ＱＲコード以外に情報取得記号で商品宣伝や各種サービスの提供もできる。【選択図】    図３
2006142008.tif 000002
【特許請求の範囲】
【請求項１】
熱い或は冷たい飲み物を入れる容器を覆い断熱又は吸滴機能をするカバーは、円弧状の所定幅を持つ形体で、
形体の両端部の中の一端部側に底部から上方へ体形の中央部分まで、形体と平行に端から所定幅を持ち形成した切開口先端を切削し拡げた第１切開部と、他端部側に上部から下部中央まで第１切開部と同じ規格で、一定な間隔で形成した複数個の第２切開部を具備したもので、形体は内面を吸水性のある凹凸面、エンボス面又は平坦面で、表面は平面紙で形成された中から一つを用い、
実施に第１切開部を第２切開部に噛み合わせるもので、使用する容器の大きさに合わせ第２切開部の中から適合を選択し、筒状に構成することを特徴とするハンデーカバー。
【請求項２】
請求項１の表面紙に情報通信端末機で読める二次元バーコードで、宣伝媒体として各種情報を収録して表示されるＱＲコードであることを特徴とするハンデーカバー。
【請求項３】
表面紙に情報通信端末機に入力ができる情報取得記号で、商品宣伝や各種サービスを提供する番号、記号又はその組合されたものが標記されていることを特徴とするハンデーカバー。
【請求項４】
情報通信端末機は、携帯電話、ＰＣ、デジタルカメラなどのコンピュータ機能を遂行する、又はコンピュータと連結してデーターを送受信できる端末機であることを特徴とするハンデーカバー。
【請求項５】
表面紙を宣伝媒体の為に彩色し広告を表示するように構成されていることを特徴とするハンデーカバー。
【発明の詳細な説明】
【技術分野】
【０００１】本発明は、熱いコーヒー・紅茶などホット飲料の容器利用に関するものである。
【背景技術】
【０００２】近来喫茶店がアメリカ風のコーヒーストアーとなり、更にチェーン店システムで多数が開設され低価格で提供されている。店舗は近代化され飲料価格は低廉であるので利用者は多数を占め想像以上に来客が多い。然し客を引き寄せるポイントの低料金は何かの工夫と犠牲が要求され、結果はより低廉な容器に向けられ紙カップやプラスチックのアメリカ風容器の採用となっている。
紙カップや樹脂カップは低廉であるが材質が薄く、冬季にホットコーヒーなど高温を嗜好されたり、夏季の冷たい物を求められたばあい材質の薄さから、容器を持つ手に敏感に温度が伝播し、熱い、水滴が付くなど不興を持たれることが多く、コーヒー店の苦悩するところである。【０００３】
【特許文献】  Ａ．特開２０００−１６８７６２  Ｂ．特開２００２−３０４５１８  Ｃ．特開２００４−１２３１５３
Ａは容器にダンボールの両端を接着剤で接着し筒状に形成した中に、熱いコーヒーを入れ断熱材に用い、Ｂは交通機関のチケットや買い物レシートの金銭などのデーターをＱＲコードで処理し、Ｃは容器に断熱部材のカバーを装着し宣伝媒体にして、直接的な商品画像及び宣伝文を表示するものである。これらの文献は一部が本発明に関連するものである。
【発明の開示】
【発明が解決しようとする課題】
【０００４】従来のものには、次のような欠点があった。
（イ）紙製容器の高温を断熱する為に樹脂製の受け皿を使用したり又は紙製のハンドルを付けた物が有るが、ハンドルは材質が弱く不安であったり、樹脂製は洗浄が必要で人件費の付加が生ずる。
（ロ）ダンボール又は平面資材を筒状に接着形成しその中に容器を入れ断熱する物が出願の主体となっているが、一般接着剤にはホルマリンが含有されているので食品衛生では使用を認められていないが、ダンボール工場は食料用品製造設備は保有せず又無関心から工業用の接着剤を使用している現状で近来に使用禁止となるものである。
（ハ）断熱資材のダンボールは凹凸を利用した断熱であるが、接着剤での接着は凹凸が難関となり、多大な接着設備投資が必要となって原料資材以上の工賃の負担が必要となる。紙その他の容器の採用は低価格を主題に決定されたもので、接着の為の負担は望まれない。
（ニ）ＱＲコード利用の事務処理文献は本発明の宣伝広告とは趣きを異にし、他の文献にある容器を宣伝媒体とした案は、通常の商品画像と宣伝文の直接表示で本発明のコンピュータ系情報通信利用とは異なるものである。
【課題を解決するための手段】
【０００５】本発明は大量消費の紙や樹脂系カップ容器に使用される、断熱又は吸滴カバーを宣伝媒体としてＱＲコードや情報取得記号を表示し広告やサービス情報の伝達を行うものである。この目的達成に断熱や吸滴資材を容器に取り付ける必要手段としてに、接着剤を使用せずに達成する切り込みの噛み合せを採用したものである。
容器の側壁に凹凸の有る資材を当て、凹凸と側壁の間に生ずる空隙による空気断熱を利用する断熱材を筒状に形成し、熱い飲料の入った容器と嵌合し飲料の熱が容器を伝導し手に熱を感じさせないよう保護するもので、又、冷たい飲料のときは容器側壁に発生する水滴の吸収を行うものである。
扇状の資材の一端に下から幅中央に到る切り込みを設け、他端に上から中央に同じ規格で複数の間隔をもつ切り込みを設け、容器の大小に適した複数の切り込みの適合の１っを選択して噛合せ筒状に成形し中に容器を入れて用いる。【０００６】カバー表面を宣伝媒体として用い、二次元バーコードのＱＲコードに販売商品の宣伝情報を収録しておき、情報通信端末機で読み取れるように表示したり、情報通信端末機に入力ができる情報取得記号で番号・記号又はその組み合わされるものに、商品の宣伝や各種なサービス情報を提供するものを標記する。【０００７】ＱＲコード及び取得記号は盛んに活用され利用され、宣伝にも用いられているが表示場所は新聞・雑誌・チラシ等が主で他ではほとんど見ることは無い。これら新聞雑誌等の表示場所にはＱＲコード及び取得記号以外に何十何百と多数の広告が掲載され、運好く或は偶然に目に止まらぬ限り繁多であって着目されることは少ないものである。【０００８】本発明が宣伝媒体とする紙容器及び樹脂容器は、新聞・雑誌等とは掲載原則が特異的に異なる特質を持たせるもので、通常の媒体は多数の広告を掲載することが通常であるが、本媒体の広告は独占単一であることである。広告主一社のみの宣伝スペースにＱＲコードが表示されていれば、確実に着目されこれは何か？の興味をもつものである。
ＱＲコードの採用は近年の携帯電話の電子技術進歩により、携帯電話は万人の所持する物となり携帯電話が情報通信端末機でコンピュータと連結され、デジタルカメラ機能を持ち携帯電話のカメラでＱＲコードは簡単に読み取れるものとなり、確実に広告は有効に目的を達することとなる。
【発明を実施するための最良の形態】
【０００９】次に、本発明の実施の形態について、図面を参照しながら説明する。
【実施例】
【００１０】図１は、本発明のカバー展開平面図である。
連続する同一深度の波形状の凹凸部４と平面部５が重合して構成された紙資材で、通称片面ダンボールといわれる扇状資材の断熱材１である。又用途により平坦面紙材を資材として同規格で用いる。本カバーは扇型の形体１の所定幅をもつた形容で、形体の両端の中の一端に体形の中央まで形体１と平行に所定幅を持って成形した第１切開部２と、他端部側に上部から下部中央ま第１切開部と同じ規格で、一定な間隔で成形した複数個の第２切開部３ａ３ｂ３ｃを具備する。両切開口２・３ａ３ｂ３ｃの先端は噛み合わせ易くするために切削９し拡げる。３ａｂｃの切削を示す符号は狭小繁雑を避け未記載とする。【００１１】複数個の第２切開部３ａｂｃの具備は１枚の資材で多サイズの容器に対応が可能で、経済的にカバー製造費用の中で最も多額の工賃を要する貼着工賃の免除は、膨大な消費数量に換算すればこれもまた膨大な利得である。【００１２】図２は、カバー成形斜視図である。
本図は片面ダンボールを資材としたもので、凹凸部４と平面部５を重ね貼り合わせた断熱材１で、凹凸を内側にし形体の両端の一端の第１切開部２と他端に同じ規格で一定な間隔で形成した複数個の第２切開部３ａｂｃを具備したもので、実施は第１切開部２を第２切開部３ａｂｃの中から、使用する容器８の大きさに適合する切開を選択し噛み合わせ筒状に構成する。
カバーは容器周壁を覆うもので、資材を環状に結束して始めて筒形カバーに完成するもので、結束に接着剤以外には縫合又はホッチキス止めがあるが採算的見地から切り込み結合となるものである。切り込みを活用し一定な間隔で形成した複数個の第２切開部を設け、複数の切開の中から容器の大きさに適合するものを選択し、１枚の資材で多サイズの容器に使用できる便利なカバーである。【００１３】図３は、ＱＲコード表示カバー実施斜視図である。
片面ダンボール資材１の凹凸部４を内側に構成し表面５の平面に二次元バーコードを、宣伝媒体として各種情報を収録したＱＲコードを表示したものである。【００１４】図４は、情報取得記号表示平坦面カバー実施斜視図である。
容器が紙質以外に樹脂製のクリヤカップやペットカップの使用が増加し、夏季においてはカップ８壁面に露滴の付着があり対策が必要となって来た。これの対策に資材で吸水性を発揮する和紙的肉厚の平坦面紙材５を用いて形成されたカバー１の表面に、宣伝媒体として番号・記号又はそれらが組合わされた情報取得記号７を表示し、商品宣伝や各種サービスを行うものである。情報取得記号７の標記は吸水性平坦紙に限定されるものでは無く、断熱用カバー１にも使用されるものである。【００１５】本発明は以上のような資材と構造で、断熱及び吸滴材として容器８のサイズに適合する第１切開部２と第２切開部３ａｂｃを噛合わせ、成形された筒状の中に容器８を嵌合して、高温の熱又はアイス飲料の水滴から手や衣服を保護し併せて容器８の側壁強度補強を行い容器８保持の安定に寄与する。【００１６】カバー１表面を宣伝媒体に用い表示されたＱＲコード６及び情報取得記号７は、コンピュータと連結してデーターを送受信できる情報通信端末機の、携帯電話・ＰＣ・デジタルカメラなどにより情報を伝達する。
【発明の効果】
【００１７】本発明による効果は、本来１回限りの使用で廃棄される紙資源を再利用する活用事業であって、膨大な数量の使用が有るカップ容器に最新手法のコンピータ利用の宣伝広告を行い、更に宣伝媒体の実施面を単独の広告主に全面提供のＩＴ広告手法は絶大な効果が期待できるものである。
又、宣伝媒体の容器提供者であるコーヒー店も亦、営業稼業後廃棄する容器が再活用され媒体使用料を取り決めれば、大きな利得が生まれコーヒー店経営に有利となるものである。
【図面の簡単な説明】
【００１８】
【図１】    カバー展開平面図。
【図２】    カバー形成斜視図。
【図３】    ＱＲコード表示カバー実施斜視図。
【図４】    情報取得記号表示平坦平面紙カバー実施斜視図。
【符号の説明】
【００１９】１      ハンデーカバー          ５      表面部
２      第１切開部              ６      ＱＲコード
３ａ    第２切開部              ７      情報取得記号
３ｂ        同                  ８      容器
３ｃ        同                  ９      開口切削部
４      ダンボール凹凸部
【図１】
2006142008.tif 000003
【図２】
2006142008.tif 000004
【図３】
2006142008.tif 000005
【図４】
2006142008.tif 000006